(57)【要約】      （修正有）【課題】木製の棒状とした鉛筆が使用されて短くなると指先で持って使用することができなくなり、その短くなった鉛筆は捨てられるか、その短い鉛筆を装着具に連結して使用されているもので短い鉛筆の形が無くなるまで使い切ることができないので、短い鉛筆を完全に使い切ることができる連接する鉛筆を提供する。【解決手段】筆記具の本体２である棒状の両端３，４を、その使用前の新鉛筆５である本体２の長さ方向に対して両端を垂直状ではなく傾斜状に切断することによってその切断面の広さが垂直切断面の広さより広い面積で長さのある傾斜面６として形成し、その傾斜面６に接着剤を設け、字を書き続けて本体が短寸鉛筆となった傾斜面とを連結することで短寸鉛筆と新鉛筆５とが一体となることで短寸鉛筆の総べてを最後まで使用することが出来る。【選択図】図１
2013215936.tif 000002
【特許請求の範囲】
【請求項１】
刃物によって削ることができる素材で棒状に形成された中心軸に記載跡を残す芯を形成した筆記具であって、その使用前の新鉛筆である本体の長さ方向に対して両端を垂直状ではなく傾斜状に切断し、その切断面の広さが垂直切断面の広さより広い面積で長さのある傾斜面として設けたことを特徴とする連接する鉛筆。
【請求項２】
本体の広い面積で長さのある傾斜面に予め接着剤を設けておき、その接着剤の表面に剥離紙を設けたことを特徴とする請求項１に記載の連接する鉛筆。
【請求項３】
本体の広い面積で長さのある傾斜面に予め設けて置く接着剤としては、その接着剤の表面が乾燥しているときには他の物とは接着せず、表面が乾燥している接着剤を設けている両者であれば接着することができる押し圧接着剤を設けたことを特徴とする請求項１又は２に記載の連接する鉛筆。
【発明の詳細な説明】
【技術分野】
【０００１】
本発明は、木製の棒状とした鉛筆が使用されて短くなると指先で持って使用することができなくなり、その短くなった鉛筆は捨てられてしまうものであって、その短い鉛筆を新鉛筆の一端に連接して短い鉛筆の形が無くなるまで完全に使い切ることができる連接する鉛筆に関するものである。
【背景技術】
【０００２】
従来の短い鉛筆の使用方法としては、木製の棒で両端に円錐形のくぼみをつけ、そのくぼみに短くなった鉛筆の頭部をくぼみほどに丸く削り、装着具のくぼみに差し込んで使用するものである鉛筆の装着があった。（特許文献１）
【０００３】
また、主鉛筆軸の後端に螺接柱が凸接され、結合鉛筆軸の対応端に螺接孔を凹接された
該螺接柱と該螺接孔の螺合により、主鉛筆軸と結合鉛筆軸とを連接して全体の握持長さを増加し、鉛筆を連接、延伸可能とした連接延長式鉛筆構造とした特許文献２もあった。
【先行技術文献】
【特許文献】
【０００４】
【特許文献１】実開昭５８−９６９９３号公報
【特許文献２】実用新案登録第３０７１６４３号公報
【発明の概要】
【発明が解決しようとする課題】
【０００５】
特許文献１で示す技術では、木製の棒で両端に円錐形のくぼみをつけた鉛筆の装着具であって、短くなった鉛筆の頭部をそのくぼみほどに丸く削り、装着具のくぼみに差し込んで使用するものであって、短くなった鉛筆の頭部をくぼみ程に丸く削ることが非常に難しく簡単に削れないことやこの一本の装着具も削られることから、その両端を使用する２回だけしか使用出来ないものであり、その大きな装着具が残る課題があった。
【０００６】
また、特許文献２で示す技術では、主鉛筆軸の後端に螺接柱が凸接され結合鉛筆軸の対応端に螺接孔を凹接されたもので、該螺接柱と該螺接孔との螺合により全体の握持長さを増加させるものであることから該螺接柱と該螺接孔との螺合部分での主鉛筆軸と結合鉛筆軸が削られるものであって、その螺合機能が弱くなって書くとの筆圧によって螺合が外れて主鉛筆軸の全体を使用することが困難であり、該螺接柱と該螺接孔との生産コストも高価になる欠点があった。
【課題を解決するための手段】
【０００７】
本発明は以上のような問題点を解決するもので、図１に示すように、刃物によって削ることができる素材で棒状に形成されていて、その中心軸に記載跡を残す芯１を形成した筆記具としているもので、その筆記具の本体２である棒状の両端３，４をその使用前の新鉛筆５である本体２の長さ方向に対して両端３，４を垂直状ではなく傾斜状に切断することによって、その切断面の広さが垂直切断面の広さより広い面積で長さのある傾斜面６として形成しているものである。
【０００８】
このような傾斜面６を設けた新筆記具の本体２と使用して短くなった本発明の短寸鉛筆７とを連接するときには、本体２と短寸鉛筆７とのお互いの傾斜面６に接着剤８を塗布して重ね合すことで接着し、一本の筆記具として使用することができるものである。
【０００９】
短寸鉛筆７を本体２に連接するときには本体２と短寸鉛筆７とのお互いの傾斜面６に接着剤８を塗布するものであるが、初めから傾斜面６に接着剤８を設けておき、その接着剤８の表面に剥離紙９を設けておく手段が考えられるものてある。
【００１０】
また、本体２の広い面積で長さのある傾斜面６に予め設けて置く接着剤８としては、その接着剤８の表面が乾燥しているときには他の物とは接着せず、表面が乾燥している表面と、別に乾燥した接着剤８とを設けている両者であれば接着することができる押し圧接着剤１０を設けておく手段も考えられるものてある。
【発明の効果】
【００１１】
本発明に係る筆記具においては、その傾斜面６の接着面積が広いので接着が強く、字等を書くときの筆圧によって連接部分が引き離れる事も無く、短寸鉛筆７を手指で新鉛筆５と一緒に持って筆記することが出来る連接する鉛筆である。
【００１２】
また、新鉛筆５と短寸鉛筆７との連接部分を削り移る事も容易であり、使用して短くなった筆記具の全体を完全に使い切ることが出来るので捨てるものが出ない資源の節約を達成したエコ商品である。
【００１３】
更に、本発明において使用している鉛筆の鉛質によ芯１を、色つきの芯１や消しゴムの芯１による構造とすることが出来るものである。
【図面の簡単な説明】
【００１４】
【図１】本発明の実施例１を示す正面図である。
【図２】本発明の実施例２を示す側面図である。
【図３】本発明の短寸鉛筆を連接しようとする状態を示す側面図である。
【図４】基準新鉛筆と半分新鉛筆や短寸鉛筆との長さの比較を示す側面図である。
【発明を実施するための形態】
【００１５】
本発明は以上のような問題点を解決するものであって、以下、実施するための形態を図面により説明する。
【実施例１】
【００１６】
本発明の実施例の一つとしては、図１に示すように、刃物によって削ることができる素材の棒状で六角柱として本体２を形成し、その中心軸に記載跡を残す芯１を設けた筆記具としている。
【００１７】
そして、その筆記具の本体２である六角柱の両端３，４を、その使用前の新鉛筆５である本体２の長さ方向に対して両端３，４を垂直状ではなく３０度、４５度や６０度等の傾斜状に切断し、その切断面の広さが垂直切断面の広さより広い面積で長さのある傾斜面６として形成している。
【００１８】
この３０度、４５度や６０度等に切断している傾斜面６の方向は、図１と図２とで示すように、両端３，４の傾斜する方向を対象状態や平行状態として形成することが考えられるもので、３０度、４５度や６０度等の傾斜状に切断している同じ傾斜度のものどうしであればその方向は自由であり、この一本の直線状態の本体２を形成することが出来る。
【００１９】
このような傾斜面６を設けた新鉛筆５の本体２と使用して短くなった本発明の短寸鉛筆７とを連接するときには、図３に示すように、本体２と短寸鉛筆７とのお互いの傾斜面６に接着剤８を塗布して重ね合すことで接着し、一本の筆記具として形成すれば新鉛筆５と同じように使用することが出来る。
【実施例２】
【００２０】
他の実施例として考えられることは、総べての新鉛筆５の傾斜面６に予め接着剤８を塗布しておくもので、その接着剤８の表面に剥離紙９を設けておく手段が考えられるものてある。
【００２１】
新鉛筆５の傾斜面６に接着剤８を塗布してその接着剤８の表面に剥離紙９を設けているものであれば、連接するときに接着剤８の表面に設けている剥離紙９を剥がして直ぐに連接することが出来もので、この接着剤８は両面接着テープであっても良く、これらは接着剤８を塗布する手間がはぶけて連接する作業も容易となるものとしている。
【実施例３】
【００２２】
その他の実施例として考えられることは、新鉛筆５の傾斜面６に予め接着剤８を塗布しておく接着剤８の性質であって、その接着剤８の表面が乾燥しているときには他の物とは接着せず、表面が乾燥している接着剤８の表面と、別に乾燥した接着剤８を設けている両者であれば接着することができる押し圧接着剤を設けておく手段が考えられ、これに似た物として切手の裏に設けている糊を傾斜面６に設けておくことも考えられる。
【００２３】
この押し圧接着剤１０を設けているものは、接着剤８の表面に剥離紙９を設けているものより剥離紙９の製造コストや剥離紙９を剥がして捨てるものが出ないものであるので資源の節約を達成したエコ商品である。
【００２４】
本発明の本体２と短寸鉛筆７とのお互いの傾斜面６に使用する接着剤８としては、その接着剤８が乾乾燥したときに硬化するものと軟性状態になる接着剤８とがあるので、硬化する接着剤８のものが良いものであり、鉛筆削り器や刃物でも短寸鉛筆７が削られて本体２に削り移るときには本体２への削る違和感が無く削り移ることができるものが良い接着剤８である。
【実施例４】
【００２５】
別の実施例として考えられることは、図４に示すように、新鉛筆５の長さを基準の長さよりも短い新鉛筆１０とすることである。
新鉛筆５に短寸鉛筆７を連結すれば、連結した本体２の長さが長いものとなり、鉛筆箱や鉛筆ケース等に収納することができなくなる場合を考えれば、連結する短寸鉛筆７の長さ程に短くした短い新鉛筆１０とすることや新鉛筆５の長さを基準の長さより半分の長さとすることで鉛筆箱や鉛筆ケース等に収納できるようにすることも考えられる。
【符号の説明】
【００２６】
１  芯
２  本体
３，４  両端
５  新鉛筆
６  傾斜面
７  短寸鉛筆
８  接着剤
９  剥離紙
１０  短い新鉛筆
【図１】
2013215936.tif 000003
【図２】
2013215936.tif 000004
【図３】
2013215936.tif 000005
【図４】
2013215936.tif 000006